(57)【要約】【課題】  インターコネクタの弾性力よりも大きい衝撃が加わっても、液晶表示パネルが動かないように固定することができ、これにより液晶表示パネルの破損を防ぐようにする。【解決手段】  液晶表示パネル３の端部をインターコネクタ８で弾力的にハウジング１の当接部２に押し付けて固定する際に、ハウジング１の当接部２と液晶表示パネル３の端部との間に両面接着テープ１０を設けた。従って、両面接着テープ１０によって液晶表示パネル３の端部をハウジング１の当接部２に接着することができる。このため、インターコネクタ８の弾性力よりも大きい衝撃が外部から加わっても、両面接着テープ１０によって液晶表示パネル３がハウジング１に対して動かないように固定することができ、これにより液晶表示パネル３の破損を防ぐことができ、耐衝撃性の高いものを得ることができる。【選択図】        図２
2006276723.tif 000002
【特許請求の範囲】
【請求項１】
液晶表示パネルの端部における一面を保持部材の当接部に対応させた状態で、前記液晶表示パネルの前記端部における他面を前記当接部に向けてインターコネクタで弾力的に押し付けることにより、前記液晶表示パネルを前記保持部材に固定する表示パネルの固定構造において、
前記保持部材の前記当接部と前記液晶表示パネルの前記端部との間に両面接着テープを設けたことを特徴とする表示パネルの固定構造。
【請求項２】
前記両面接着テープは少なくとも一面側の接着力が他面側の接着力よりも弱いことを特徴とする請求項１に記載の表示パネルの固定構造。
【請求項３】
液晶表示パネルの端部における一面を保持部材の当接部に対応させた状態で、前記液晶表示パネルの前記端部における他面を前記当接部に向けてインターコネクタで弾力的に押し付けることにより、前記液晶表示パネルを前記保持部材に固定する表示パネルの固定構造において、
前記保持部材の前記当接部と前記液晶表示パネルの前記端部との間に接着剤を設けたことを特徴とする表示パネルの固定構造。
【請求項４】
前記接着剤は熱硬化性樹脂からなることを特徴とする請求項３に記載の表示パネルの固定構造。
【請求項５】
前記接着剤は紫外線硬化性樹脂からなることを特徴とする請求項３に記載の表示パネルの固定構造。
【請求項６】
液晶表示パネルの端部における一面を保持部材の当接部に対応させた状態で、前記液晶表示パネルの前記端部における他面を前記当接部に向けてインターコネクタで弾力的に押し付けることにより、前記液晶表示パネルを前記保持部材に固定する表示パネルの固定構造において、
前記保持部材の前記当接部と前記液晶表示パネルの前記端部との間に弾性部材を設けたことを特徴とする表示パネルの固定構造。
【請求項７】
前記弾性部材は、断面形状がほぼＬ字形状に形成され、前記保持部材の前記当接部と前記液晶表示パネルの前記端部との間、および前記保持部材の内面と前記液晶表示パネルの前記端部の先端面との間に配置されていることを特徴とする請求項６に記載の表示パネルの固定構造。
【請求項８】
前記保持部材は時計ケース内に組み込まれるハウジングであることを特徴とする請求項１〜７のいずれかに記載の表示パネルの固定構造。
【請求項９】
前記保持部材は時計ケースであることを特徴とする請求項１〜７のいずれに記載の表示パネルの固定構造。
【発明の詳細な説明】
【技術分野】
【０００１】
この発明は、腕時計や携帯電話機、ＰＤＡ（パーソナル・デジタル・アシスタント）などの電子機器に用いられる表示パネルの固定構造に関する。
【背景技術】
【０００２】
例えば、腕時計においては、腕時計ケースの上部に時計ガラスが装着され、腕時計ケースの内部に時計モジュールが収納され、腕時計ケースの下面に裏蓋が取り付けられた構成になっている。このような腕時計の時計モジュールには、時刻などの情報を液晶表示パネルで電気光学的に表示するように構成したデジタル式のものがある。
【０００３】
このような時計モジュールにおける液晶表示パネルの固定構造においては、特許文献１に記載されているように、ハウジングの上部に係止突起部を内周面に沿って形成し、このハウジングの係止突起部に液晶表示パネルの端部上面を当接させ、この状態で液晶表示パネルの端部下面をインターコネクタで弾力的に押し上げることにより、液晶表示パネルをハウジング内に固定するように構成したものが知られている。
【特許文献１】特開平１０−４８３６１号
【発明の開示】
【発明が解決しようとする課題】
【０００４】
しかしながら、このような従来の液晶表示パネルの固定構造では、インターコネクタで弾力的に液晶表示パネルの端部を押し上げてハウジングの係止突起部に押し付けている構成であるから、インターコネクタの弾性力よりも大きい衝撃が加わると、液晶表示パネルの端部がハウジングの係止突起部から離れ、液晶表示パネルが面方向に動いてしまい、液晶表示パネルの端部がハウジングにぶつかって割れたり欠けたりして破損する懸念がある。
【０００５】
この発明が解決しようとする課題は、インターコネクタの弾性力よりも大きい衝撃が加わっても、液晶表示パネルが動かないように固定することができ、これにより液晶表示パネルの破損を防ぐことができる表示パネルの固定構造を提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図３、および図９に示すように、液晶表示パネル（３）の端部における一面を保持部材（ハウジング１または腕時計ケース４０）の当接部（２、４２）に対応させた状態で、前記液晶表示パネルの前記端部における他面を前記当接部に向けてインターコネクタ（８）で弾力的に押し付けることにより、前記液晶表示パネルを前記保持部材に固定する表示パネルの固定構造において、前記保持部材の前記当接部と前記液晶表示パネルの前記端部との間に両面接着テープ（１０、１１）を設けたことを特徴とする表示パネルの固定構造。
【０００８】
請求項２に記載の発明は、図３に示すように、前記両面接着テープ（１１）は少なくとも一面側の接着力が他面側の接着力よりも弱いことを特徴とする請求項１に記載の表示パネルの固定構造。
【０００９】
請求項３に記載の発明は、図４、図５、および図９に示すように、液晶表示パネル（３）の端部における一面を保持部材（ハウジング１または腕時計ケース４０）の当接部（２、４２）に対応させた状態で、前記液晶表示パネルの前記端部における他面を前記当接部に向けてインターコネクタ（８）で弾力的に押し付けることにより、前記液晶表示パネルを前記保持部材に固定する表示パネルの固定構造において、前記保持部材の前記当接部と前記液晶表示パネルの前記端部との間に接着剤（２０、２１）を設けたことを特徴とする表示パネルの固定構造。
【００１０】
請求項４に記載の発明は、図４に示すように、前記接着剤（２０）が熱硬化性樹脂からなることを特徴とする請求項３に記載の表示パネルの固定構造。
【００１１】
請求項５に記載の発明は、図５に示すように、前記接着剤（２１）が紫外線硬化性樹脂からなることを特徴とする請求項３に記載の表示パネルの固定構造。
【００１２】
請求項６に記載の発明は、図６〜図９に示すように、液晶表示パネル（３）の端部における一面を保持部材（ハウジング１または腕時計ケース４０）の当接部（２、４２）に対応させた状態で、前記液晶表示パネルの前記端部における他面を前記当接部に向けてインターコネクタ（８）で弾力的に押し付けることにより、前記液晶表示パネルを前記保持部材に固定する表示パネルの固定構造において、前記保持部材の前記当接部と前記液晶表示パネルの前記端部との間に弾性部材（３０、３１）を設けたことを特徴とする表示パネルの固定構造。
【００１３】
請求項７に記載の発明は、図７および図８に示すように、前記弾性部材（３１）が、断面ほぼＬ字形状に形成され、前記保持部材（ハウジング１または腕時計ケース４０）の前記当接部（２、４２）と前記液晶表示パネル（３）の前記端部との間、および前記保持部材の内面と前記液晶表示パネルの前記端部の先端面との間に配置されていることを特徴とする請求項６に記載の表示パネルの固定構造。
【００１４】
請求項８に記載の発明は、図１〜図８に示すように、前記保持部材が時計ケース内に組み込まれるハウジング（１）であることを特徴とする請求項１〜７のいずれかに記載の表示パネルの固定構造。
【００１５】
請求項９に記載の発明は、図９に示すように、前記保持部材が時計ケース（腕時計ケース４０）であることを特徴とする請求項１〜７のいずれかに記載の表示パネルの固定構造。
【発明の効果】
【００１６】
請求項１に記載の発明によれば、液晶表示パネルの端部をインターコネクタで弾力的に保持部材の当接部に押し付けて固定する際に、保持部材の当接部と液晶表示パネルの端部との間に両面接着テープを設けていることにより、この両面接着テープによって液晶表示パネルの端部を保持部材の当接部に接着することができる。このため、インターコネクタの弾性力よりも大きい衝撃が加わっても、両面接着テープによって液晶表示パネルが保持部材に対して動かないように確実に固定することができ、これにより液晶表示パネルの破損を防ぐことができ、耐衝撃性の高いものを得ることができる。
【００１７】
請求項２に記載の発明によれば、両面接着テープは少なくとも一面側の接着力が他面側の接着力よりも弱く、液晶表示パネルの端部に対する接着力と保持部材の当接部に対する接着力とが異なっても、請求項１に記載の発明と同様、両面接着テープによって液晶表示パネルが保持部材に対して動かないように固定することができるほか、特に両面接着テープの一面側の接着力が弱いので、保持部材に対して液晶表示パネルを容易に着脱することができ、これにより保持部材に対する液晶表示パネルの取付作業性および再取付作業性を向上させることができる。
【００１８】
請求項３に記載の発明によれば、液晶表示パネルの端部をインターコネクタで弾力的に保持部材の当接部に押し付けて固定する際に、保持部材の当接部と液晶表示パネルの端部との間に接着剤を設けたことにより、請求項１に記載の発明と同様、接着剤によって液晶表示パネルの端部を保持部材の当接部に接着することができる。このため、インターコネクタの弾性力よりも大きい衝撃が加わっても、接着剤によって液晶表示パネルが保持部材に対して動かないように確実に固定することができ、これにより液晶表示パネルの破損を防ぐことができ、耐衝撃性の高いものを得ることができる。
【００１９】
請求項４に記載の発明によれば、接着剤が熱硬化性樹脂からなることにより、液晶表示パネルを保持部材に接着する前の状態のときに、熱硬化性樹脂の接着力が弱いので、液晶表示パネルを保持部材の所定位置に容易に且つ良好に配置することができ、この状態で熱を加えて熱硬化性樹脂を硬化させることにより、液晶表示パネルを保持部材に強固に固定することができ、これにより取付作業性を向上させることができる。
【００２０】
請求項５に記載の発明によれば、接着剤が紫外線硬化性樹脂からなることにより、液晶表示パネルを保持部材に接着する前の状態のときに、請求項５に記載の発明と同様、紫外線硬化性樹脂の接着力が弱いので、液晶表示パネルを保持部材の所定位置に容易に且つ良好に配置することができ、この状態で紫外線を照射して紫外線硬化性樹脂を硬化させることにより、液晶表示パネルを保持部材に強固に固定することができ、これによっても取付作業性を向上させることができる。
【００２１】
請求項６に記載の発明によれば、液晶表示パネルの端部をインターコネクタで弾力的に保持部材の当接部に押し付けて固定する際に、保持部材の当接部と液晶表示パネルの端部との間に弾性部材を設けたことにより、この弾性部材によって液晶表示パネルの端部を保持部材の当接部に弾力的に固定することができる。このため、インターコネクタの弾性力よりも大きい衝撃が加わっても、その衝撃を弾性部材によって吸収することができ、これにより液晶表示パネルが保持部材に対して動かないように固定することができるので、液晶表示パネルの破損を防ぐことができ、耐衝撃性の高いものを得ることができる。
【００２２】
請求項７に記載の発明によれば、弾性部材が、断面ほぼＬ字形状に形成され、保持部材の当接部と液晶表示パネルの端部との間、および保持部材の内面と液晶表示パネルの端部の先端面との間に配置されることより、インターコネクタの弾性力よりも大きい衝撃が加わっても、液晶表示パネルの端部全体、つまり端部の一面および端部の先端面を弾性部材によって確実に且つ良好に保護することができ、これにより、より一層、耐衝撃性の高いものを得ることができる。
【００２３】
請求項８に記載の発明によれば、保持部材が時計ケース内に組み込まれるハウジングであることにより、液晶表示パネルをハウジングに取り付けた状態で、良好に時計ケース内に組み込むことができるので、組立作業性の良いものを得ることができる。
【００２４】
請求項９に記載の発明によれば、保持部材が時計ケースであることにより、時計ケースに液晶表示パネルを直接組み付けることができ、これにより時計全体の薄型化を図ることができると共に、部品点数を削減でき、低価格なものを得ることができる。
【発明を実施するための最良の形態】
【００２５】
（実施形態１）
以下、図１および図２を参照して、この発明を腕時計に組み込まれる時計モジュールに適用した実施形態１について説明する。
図１はこの発明を適用した時計モジュールを下面側から見た裏面図、図２は図１のＡ−Ａ矢視において上下反転させて寝かせた状態の拡大断面図である。
この時計モジュールは、図１および図２に示すように、腕時計ケース(図示せず)の内部に組み込まれるハウジング１を備えている。
【００２６】
このハウジング１は、合成樹脂からなり、図１および図２に示すように、全体がほぼ枠状に形成されており、このハウジング１には、鍔状の当接部２が内周面に沿って形成されている。また、このハウジング１の内部には、液晶表示パネル３が配置されている。すなわち、この液晶表示パネル３は、図２に示すように、上下一対の透明な電極基板４、５間に液晶（図示せず）を封入し、上側の電極基板４の上面に上側偏光板６を設け、下側の電極基板５の下面に下側偏光板７を設け、この状態で上下の電極基板４、５に選択的に電圧を印加することにより、時刻などの情報を電気光学的に表示するように構成されている。
【００２７】
この液晶表示パネル３は、図２に示すように、ハウジング１の内部に下側から挿入され、その周囲の端部における上面がハウジング１に形成された鍔状の当接部２の下面に対応して配置され、この状態で１２時側と６時側（図１では上辺側と下辺側）に位置する各端部の下面にインターコネクタ８がそれぞれ配置され、これらインターコネクタ８によって支持されている。すなわち、このインターコネクタ８は、導電性ゴムと絶縁性ゴムを交互に配列形成したものであり、ハウジング１の下面に配置された回路基板９上に配置され、この状態で液晶表示パネル３の１２時側と６時側とに位置する各端部を下側から弾力的に押し上げてハウジング１の当接部２に押し付けるように支持すると共に、液晶表示パネル３と回路基板９とを電気的に接続するように構成されている。
【００２８】
この場合、液晶表示パネル３の周囲の端部における上面とハウジング１の内周面に沿って設けられた当接部２の下面との間には、図２に示すように、両面接着テープ１０が配置されている。この両面接着テープ１０は、表裏両面がほぼ同じ接着力に形成され、液晶表示パネル３の端部における上面とハウジング１の当接部２の下面とにほぼ同じ接着力で接着し、これにより液晶表示パネル３の端部をハウジング１の当接部２に固定するように構成されている。
【００２９】
このような時計モジュールでは、液晶表示パネル３の端部をインターコネクタ８で弾力的にハウジング１の当接部２に押し付けて固定する際に、ハウジング１の当接部２と液晶表示パネル３の端部との間に両面接着テープ１０が設けられていることにより、この両面接着テープ１０によって液晶表示パネル３の端部をハウジング１の当接部２に接着することができる。このため、インターコネクタ８の弾性力よりも大きい衝撃が外部から加わっても、両面接着テープ１０によって液晶表示パネル３がハウジング１に対して動かないように固定することができ、これにより液晶表示パネル３の端部の破損を防ぐことができ、耐衝撃性の高いものを得ることができる。
【００３０】
（実施形態２）
次に、図３を参照して、この発明を時計モジュールに適用した実施形態２について説明する。なお、図１および図２に示された実施形態１と同一部分には同一符号を付して説明する。
この時計モジュールは、液晶表示パネル３の周囲の端部における上面とハウジング１の内周面に沿って形成された当接部２の下面との間に、一面側の接着力が他面側の接着力よりも弱い両面接着テープ１１を設けた構成で、これ以外は実施形態１と同じ構成になっている。
【００３１】
すなわち、この両面接着テープ１１は、表裏両面のうち、例えば表面側の接着力が裏面側の接着力よりも弱く形成され、液晶表示パネル３の端部における上面に対する接着力がハウジング１の当接部２の下面に対する接着力よりも強く接着し、これにより異なる接着力で液晶表示パネル３の端部をハウジング１の当接部２に接着して固定するように構成されている。
【００３２】
このような時計モジュールによれば、両面接着テープ１１の表面側の接着力が裏面側の接着力よりも弱く、液晶表示パネル３の端部に対する接着力とハウジング１の当接部２に対する接着力とが異なっても、実施形態１と同様、両面接着テープ１１によって液晶表示パネル３がハウジング１に対して動かないように接着することができるほか、特に両面接着テープ１１の表裏面のうち、表面側の接着力が裏面側の接着力よりも弱いので、ハウジング１の当接部２に対する接着力が液晶表示パネル３の端部に対する接着力よりも弱くなり、これによりハウジング１に対して液晶表示パネル３を容易に着脱することができ、このためハウジング１に対する液晶表示パネル３の取付作業性および再取付作業性を向上させることができる。
【００３３】
なお、上記実施形態２では、両面接着テープ１１の表裏面のうち、表面側の接着力を裏面側の接着力よりも弱く形成したが、これに限らず、例えば裏面側の接着性を表面側の接着力よりも弱く形成しても良い。このように構成しても、実施形態２と同様、液晶表示パネル３がハウジング１に対して動かないように接着することができるほか、ハウジング１に対して液晶表示パネル３を容易に着脱することができ、これによりハウジング１に対する液晶表示パネル３の取付作業性および再取付作業性を向上させることができる。
【００３４】
また、上記実施形態２およびその変形例では、両面接着テープ１１の表裏面のうち、片面側のみの接着力を弱く形成したが、必ずしも片面側のみの接着力を弱くする必要はなく、表裏両面とも接着力を弱く形成して、液晶表示パネル３がハウジング１に対して動かないように接着するように構成しても良い。このように構成しても、実施形態２と同様、ハウジング１に対して液晶表示パネル３を容易に着脱することができるので、より一層、ハウジング１に対する液晶表示パネル３の取付作業性および再取付作業性を向上させることができる。
【００３５】
（実施形態３）
次に、図４を参照して、この発明を時計モジュールに適用した実施形態３について説明する。この場合にも、図１および図２に示された実施形態１と同一部分に同一符号を付して説明する。
この時計モジュールは、液晶表示パネル３の周囲の端部における上面とハウジング１の内周面に沿って形成された当接部２の下面との間に、熱硬化性樹脂からなる接着剤２０を設けた構成で、これ以外は実施形態１と同じ構成になっている。この場合、熱硬化性樹脂は、熱を加えると硬化するものであり、常温状態では接着力が弱い。
【００３６】
このような時計モジュールによれば、液晶表示パネル３の端部をインターコネクタ８で弾力的にハウジング１の当接部２に押し付けて固定する際に、ハウジング１の当接部２と液晶表示パネル３の端部との間に接着剤２０を設けていることにより、実施形態１と同様、接着剤２０によって液晶表示パネル３をハウジング１の当接部２に接着することができる。このため、インターコネクタ８の弾性力よりも大きい衝撃が外部から加わっても、ハウジング１に対して液晶表示パネル３が動かないように確実に固定することができ、これにより液晶表示パネル３の端部の破損を防ぐことができ、耐衝撃性の高いものを得ることができる。
【００３７】
この場合には、特に接着剤２０が熱硬化性樹脂からなることにより、液晶表示パネル３をハウジング１に接着する前の状態のときに、熱硬化性樹脂の接着力が弱いので、液晶表示パネル３の端部をハウジング１の当接部２における所定位置に容易に且つ良好に配置することができ、この状態で熱を加えて熱硬化性樹脂を硬化させることにより、この硬化した接着剤２０によって液晶表示パネル３の端部をハウジング１の当接部２に確実に且つ強固に固定することができ、これにより取付作業性を向上させることができる。
【００３８】
（実施形態４）
次に、図５を参照して、この発明を時計モジュールに適用した実施形態４について説明する。この場合には、図４に示された実施形態３と同一部分に同一符号を付して説明する。
この時計モジュールは、液晶表示パネル３の周囲の端部における上面とハウジング１の内周面に沿って形成された当接部２の下面との間に、紫外線硬化性樹脂からなる接着剤２１を設けた構成で、これ以外は実施形態３と同じ構成になっている。この場合、紫外線硬化性樹脂は、紫外線が照射される硬化するものであり、通常状態では接着力が弱い。
【００３９】
このような時計モジュールによれば、実施形態３と同様、接着剤２１によって液晶表示パネル３の端部をハウジング１の当接部２に接着することができるので、インターコネクタ８の弾性力よりも大きい衝撃が外部から加わっても、接着剤２１によって液晶表示パネル３がハウジング１に対して動かないように確実に固定することができ、これにより液晶表示パネル３の端部の破損を防ぐことができ、耐衝撃性の高いものを得ることができる。
【００４０】
この場合には、接着剤２１が紫外線硬化性樹脂からなることにより、液晶表示パネル３をハウジング１に接着する前の状態のときに、紫外線硬化性樹脂の接着力が弱いので、液晶表示パネル３の端部をハウジング１の当接部２における所定位置に容易に且つ良好に配置することができ、この状態で紫外線を照射して紫外線硬化性樹脂を硬化させることにより、この硬化した接着剤２１によって液晶表示パネル３の端部をハウジング１の当接部２に確実に且つ強固に固定することができ、これによっても取付作業性を向上させることができる。
【００４１】
（実施形態５）
次に、図６を参照して、この発明を時計モジュールに適用した実施形態５について説明する。この場合にも、図１および図２に示された実施形態１と同一部分に同一符号を付して説明する。
この時計モジュールは、液晶表示パネル３の周囲の端部における上面とハウジング１の内周面に沿って形成された当接部２の下面との間に、弾性部材３０を設けた構成で、これ以外は実施形態１と同じ構成になっている。
【００４２】
このような時計モジュールによれば、液晶表示パネル３の端部をインターコネクタ８で弾力的にハウジング１の当接部２に押し付けて固定する際に、ハウジング１の当接部２と液晶表示パネル３の端部との間に弾性部材３０を設けていることにより、この弾性部材３０によって液晶表示パネル３の端部をハウジング１の当接部２に弾力的に固定することができる。このため、インターコネクタ８の弾性力よりも大きい衝撃が外部から加わっても、その衝撃を弾性部材３０によって吸収することができ、これにより液晶表示パネル３がハウジング１に対して動かないように固定することができるので、液晶表示パネル３の端部の破損を防ぐことができ、これによっても耐衝撃性の高いものを得ることができる。
【００４３】
（実施形態６）
次に、図７および図８を参照して、この発明を時計モジュールに適用した実施形態６について説明する。この場合には、図６に示された実施形態５と同一部分に同一符号を付して説明する。
この時計モジュールは、液晶表示パネル３の周囲の端部における上面とハウジング１の周囲の当接部２の下面との間に、断面ほぼＬ字状に形成された弾性部材３１を設けた構成で、これ以外は実施形態５と同じ構成になっている。
【００４４】
すなわち、この弾性部材３１は、図８に示すように、ハウジング１の当接部２の下面と液晶表示パネル３の端部における上面との間に配置される上面弾性部３１ａと、ハウジング１の内面と液晶表示パネル３の端部の先端面との間に配置される側面弾性部３１ｂとを一体に形成することにより、断面形状がほぼＬ字形状に形成されている。これにより、この弾性部材３１は、図８に示すように、ハウジング１の当接部２の下面と液晶表示パネル３の端部における上面との間に上面弾性部３１ａが配置され、ハウジング１の内面と液晶表示パネル３の端部の先端面との間に側面弾性部３１ｂが配置されることにより、液晶表示パネル３の端部をハウジング１の当接部２およびハウジング１の内面に対して弾力的に固定するように構成されている。
【００４５】
このような時計モジュールによれば、実施形態５と同様、弾性部材３１によって液晶表示パネル３の端部をハウジング１の当接部２に対して弾力的に固定することができるほか、特に弾性部材３１が、上面弾性部３１ａと側面弾性部３１ｂとからなる断面ほぼＬ字形状に形成され、ハウジング１の当接部２と液晶表示パネル３の端部との間に上面弾性部３１ａが配置され、ハウジング１の内面と液晶表示パネル３の先端面との間に側面弾性部３１ｂが配置されていることより、インターコネクタ８の弾性力よりも大きい衝撃が外部から加わっても、弾性部材３１によって液晶表示パネル３の端部全体、つまり端部の上面と端部の先端面とを包み込むように保護することができ、これにより液晶表示パネル３の端部の破損を確実に防ぐことができ、より一層、耐衝撃性の高いものを得ることができる。
【００４６】
（実施形態７）
次に、図９を参照して、この発明を腕時計に適用した実施形態７について説明する。この場合にも、図１および図２に示された実施形態１と同一部分に同一符号を付して説明する。
この腕時計は、腕時計ケース４０を備えている。この腕時計ケース４０の上部には、時計ガラス４１が装着されており、この腕時計ケース４０の内部には、液晶表示パネル３が配置されている。
【００４７】
この場合、腕時計ケース４０の内周面には、鍔状の当接部４２が時計ガラス４１の周縁部における下面に対応して形成されている。この鍔状の当接部４２の下面には、液晶表示パネル３の周囲の端部における上面が当接し、この状態で実施形態１と同様、液晶表示パネル３の端部がインターコネクタ８によって弾力的に押し付けられている。すなわち、このインターコネクタ８も、実施形態１と同様、腕時計ケース４０の内部に配置された回路基板９上に配置され、この状態で液晶表示パネル３の端部を弾力的に押し上げて支持すると共に、液晶表示パネル３と回路基板９とを電気的に接続するように構成されている。
【００４８】
また、液晶表示パネル３の周囲の端部における上面と腕時計ケース４０の内周面に設けられた当接部４２の下面との間には、図９に示すように、両面接着テープ１０が配置されている。この両面接着テープ１０は、実施形態１と同様、表裏両面がほぼ同じ接着力に形成され、液晶表示パネル３の端部における上面と腕時計ケース４０の当接部４２の下面とにほぼ同じ接着力で接着し、これにより液晶表示パネル３の端部を腕時計ケース４０の当接部４２に固定するように構成されている。
【００４９】
このような腕時計によれば、液晶表示パネル３の端部をインターコネクタ８で弾力的に腕時計ケース４０の当接部４２に押し付けて固定する際に、腕時計ケース４０の当接部４２と液晶表示パネル３の端部との間に両面接着テープ１０が設けられていることにより、この両面接着テープ１０によって液晶表示パネル３の端部を腕時計ケース４０の当接部４２に接着することができる。
【００５０】
このため、インターコネクタ８の弾性力よりも大きい衝撃が外部から加わっても、両面接着テープ１０によって液晶表示パネル３が腕時計ケース４０に対して動かないように固定することができ、これにより液晶表示パネル３の端部の破損を防ぐことができ、耐衝撃性の高いものを得ることができる。この場合には、腕時計ケース１内に液晶表示パネル３を直接組み込んでいるので、腕時計全体の薄型化を図ることができると共に、部品点数を削減することができ、これにより低価格なものを得ることができる。
【００５１】
なお、上記実施形態７では、液晶表示パネル３の周囲の端部における上面と腕時計ケース４０の内周面に設けられた当接部４２の下面との間に、表裏両面がほぼ同じ接着力の両面接着テープ１０を設けた場合について述べたが、これに限らず、図３に示したように、少なくとも一面側の接着力が他面側よりも弱い両面接着テープ１１を設けても良い。このように構成しても、実施形態７と同様、両面接着テープ１１によって液晶表示パネル３が腕時計ケース４０に対して動かないように固定することができるほか、実施形態２と同様、腕時計ケース４０に対して液晶表示パネル３を容易に着脱することができ、これにより腕時計ケース４０に対する液晶表示パネル３の取付作業性を向上させることができる。
【００５２】
また、両面接着テープ１０、１１に限らず、図４に示した熱硬化性樹脂からなる接着剤２０を設けた構成でも良い。このように構成しても、実施形態７と同様、接着剤２０によって液晶表示パネル３が腕時計ケース４０に対して動かないように固定することができるので、液晶表示パネル３の端部の破損を防ぐことができるほか、実施形態３と同様、熱を加えて熱硬化性樹脂を硬化させることにより、液晶表示パネル３の端部を腕時計ケース４０の当接部４２に強固に固定することができ、これにより液晶表示パネル３の取付作業性を向上させることができる。
【００５３】
また、これに限らず、図５に示した紫外線硬化性樹脂からなる接着剤２１を設けた構成でも良い。この場合にも、実施形態７と同様、接着剤２１によって液晶表示パネル３が腕時計ケース４０に対して動かないように固定することができるので、液晶表示パネル３の端部の破損を防ぐことができるほか、実施形態４と同様、紫外線を照射させて紫外線硬化性樹脂を硬化させることにより、液晶表示パネル３の端部を腕時計ケース４０の当接部４２に強固に固定することができ、これにより液晶表示パネル３の取付作業性を向上させることができる。
【００５４】
さらに、上記のような両面接着テープ１０、１１や、接着剤２０、２１に限らず、例えば図６に示した弾性部材３０を、液晶表示パネル３の端部と腕時計ケース４０の当接部４２との間に設けた構成でも良い。このように構成しても、弾性部材３０によって液晶表示パネル３の端部を腕時計ケース４０の当接部４２に弾力的に固定することができるので、実施形態５と同様、弾性部材３０によって液晶表示パネル３が腕時計ケース４０に対して動かないように固定することができ、これにより液晶表示パネル３の端部の破損を防ぐことができる。
【００５５】
また、これに限らず、図７に示した断面ほぼＬ字状の弾性部材３１を、液晶表示パネル３の端部と腕時計ケース４０の当接部４２との間、および液晶表示パネル３の端部の先端面と腕時計ケース４０の内面との間に設けた構成でも良い。このように構成しても、上記弾性部材３０と同様、弾性部材３１によって液晶表示パネル３の端部を腕時計ケース４０の当接部４２に弾力的に固定することができるほか、弾性部材３１によって液晶表示パネル３の端部全体、つまり端部の上面と端部の先端面とを包み込むように保護することができるので、液晶表示パネル３の端部の破損を確実に防ぐことができ、より一層、耐衝撃性の高いものを得ることができる。
【００５６】
なおまた、上記実施形態１〜７およびその変形例では、腕時計に適用した場合について述べたが、必ずしも腕時計である必要はなく、トラベルウォッチや目覚まし時計、置き時計、掛け時計などの各種の時計にも適用することができるほか、携帯電話機やＰＤＡ（パーソナル・デジタル・アシスタント）などの時計以外の各種の電子機器にも広く適用することができる。
【図面の簡単な説明】
【００５７】
【図１】この発明を適用した時計モジュールを下面側から見た裏面図である。（実施形態１）
【図２】図１のＡ−Ａ矢視において上下反転させて寝かせた状態の拡大断面図である。
【図３】この発明を適用した時計モジュールの拡大断面図である。（実施形態２）
【図４】この発明を適用した時計モジュールの拡大断面図である。（実施形態３）
【図５】この発明を適用した時計モジュールの拡大断面図である。（実施形態４）
【図６】この発明を適用した時計モジュールの拡大断面図である。（実施形態５）
【図７】この発明を適用した時計モジュールを下面側から見た裏面図である。（実施形態６）
【図８】図７のＢ−Ｂ矢視において上下反転させて寝かせた状態の拡大断面図である。
【図９】この発明を適用した腕時計の拡大断面図である。（実施形態７）
【符号の説明】
【００５８】
１  ハウジング
２、４２  当接部
３  液晶表示パネル
８  インターコネクタ
９  回路基板
１０、１１  両面接着テープ
２０、２１  接着剤
３０  ３１  弾性部材
３１ａ  上面弾性部
３１ｂ  側面弾性部
４０  腕時計ケース
【図１】
2006276723.tif 000003
【図２】
2006276723.tif 000004
【図３】
2006276723.tif 000005
【図４】
2006276723.tif 000006
【図５】
2006276723.tif 000007
【図６】
2006276723.tif 000008
【図７】
2006276723.tif 000009
【図８】
2006276723.tif 000010
【図９】
2006276723.tif 000011